(57)【要約】      （修正有）【課題】遊技機を取付位置の高さに合った状態で安定して運搬することができ、取付作業が容易になる遊技機の取付用台車を提供する。【解決手段】自在キャスタ２を設けたベース部３と、ベース部の上に昇降可能に設けられ、前面側を後向きにした遊技機が載置可能な載置テーブル５と、載置テーブルから上方に突設された支持部材６と、支持部材に設けられ載置テーブルに載置された遊技機に当接する当接部７と、を備える。載置テーブルの高さを島に合わせ、載置テーブル上に遊技機を縦置きにして載置し、当接部を遊技機に当接することにより、島まで安定して運搬することができ、遊技機の高さが島に合っているから、取付作業を容易に行うことができる。【選択図】図１
0003211901.tif 000002
【実用新案登録請求の範囲】
【請求項１】
移動用車輪を設けたベース部と、
前記ベース部の上に昇降可能に設けられ、前面側を後向きにした遊技機が載置可能な載置テーブルと、
前記載置テーブルから上方に突設された支持部材と、
前記支持部材に設けられ前記載置テーブルに載置された前記遊技機に当接する当接部と、
を備えることを特徴とする遊技機の取付用台車。
【請求項２】
前記支持部材は、左右の縦杆と、これら左右の縦杆の上部間に設けた横杆とを備え、
前記支持部材に前記遊技機の上部に当接する前記当接部を設け、
前記支持部材が昇降可能に設けられていることを特徴とする請求項１記載の遊技機の取付用台車。
【請求項３】
前記横杆に前記当接部を設け、
前記支持部材の昇降により前記当接部が前記載置テーブル上の縦向きの前記遊技機より上方に昇降可能に設けられ、
前記当接部を前記載置テーブル上の縦向きの前記遊技機より上方に昇降した状態で、前記載置テーブル上の縦向きの前記遊技機の左右と前記左右の縦杆との間に隙間が設けられると共に、前記当接部を設けた前記支持部材と前記載置テーブルとの間に前記載置テーブル上の縦向きの前記遊技機が挿通可能な挿通空間が形成されることを特徴とする請求項２記載の遊技機の取付用台車。
【請求項４】
前記当接部は、前記載置テーブル上の縦向きの前記遊技機の上面に当接し前記横杆より前後幅の広い上部当接部と、前記遊技機の上部後面に当接する後部当接部とを備えることを特徴とする請求項２又は３記載の遊技機の取付用台車。
【請求項５】
前記載置テーブルの後側に、前側に凹んだ凹部を設け、前記凹部の左右幅が３５０ｍｍ以上であることを特徴とする請求項２〜４のいずれか１項に記載の遊技機の取付用台車。
【請求項６】
前記ベース部は、前後方向の左，右枠材と、これら左，右枠材を連結する横枠材とを備え、
前記左，右枠材の下部に前記移動用車輪を設け、
前記ベース部に、前後左右のテーブル用受け部を縦設し、これら前後左右のテーブル用受け部に対応して前記載置テーブルの前後左右に昇降杆を設けると共に、これら前後左右の昇降杆を前記前後左右のテーブル用受け部に上下方向スライド可能に設け、
前記前後左右のテーブル用受け部に前記前後左右の昇降杆の高さ位置を固定及び固定解除可能な固定手段を備え、
前記ベース部の左右に支持部材用受け部を縦設すると共に、前記左右の支持部材用受け部に、前記左右の縦杆の下部を上下方向スライド可能に設け、
前記支持部材用受け部に、前記左右の縦杆の外面に当接して該左右の縦杆の高さ位置を固定及び解除可能な支持部材用螺子手段を螺合し、
前記ベース部の後部には、前記凹部の下方で前記左，右枠材の間に後開口部を設けたことを特徴とする請求項５記載の遊技機の取付用台車。
【請求項７】
前記テーブル用受け部は、横方向の受け部側雌螺子部と横方向の受け部側透孔を有し、
前記昇降杆は、前記受け部側雌螺子部に対応して上下方向に間隔を置いて複数の横方向の杆側雌螺子部を有すると共に、前記受け部側透孔に対応して上下方向に間隔を置いて複数の横方向の杆側透孔を有し、
前記受け部側雌螺子部及び前記杆側雌螺子部に螺合する支持部材側螺子手段と、
前記受け部側雌螺子部と前記杆側雌螺子部とが位置合わせされた状態で連通する前記受け部側透孔及び前記杆側透孔に挿脱可能な支持杆と、
を備えることを特徴とする請求項６記載の遊技機の取付用台車。
【請求項８】
前記遊技機の取付位置の下部の前側には取付側テーブルが設けられており、
前記載置テーブルの前側に回動テーブルの後側を枢着部により回動可能に連結すると共に、前記回動テーブルが前記取付側テーブルの上に載置可能に設けられていることを特徴とする請求項１〜６のいずれか１項に記載の遊技機の取付用台車。
【考案の詳細な説明】
【技術分野】
【０００１】
本考案は、遊技機の取付用台車に関する。
【背景技術】
【０００２】
従来、この種のものとして、複数の遊技機を釘止めすることなく立て起き状態にて台車に収納するための仕切り棚状構造を備え、数台乃至数十台単位での一括搬送および倉庫内保管を容易に行える遊技機専用台車（例えば特許文献１）があり、この遊技機専用台車では、積載した複数の遊技機の取付・取外作業を行うことができる。
【０００３】
また、裏面にキャスターが取着される水平な載置台と、起立状態で載置される遊技機の下部が嵌まり込むように前記載置台の上面に形成され、長手方向の少なくとも一端が前記載置台の周端縁に達して開放される凹長溝と、前記凹長溝の前記開放する一端部に配置される回転自在なローラとを備えた遊技機の運搬用台車（例えば特許文献２）がある。
【０００４】
上記遊技機専用及び上記運搬用台車では、遊技機の取付位置までの運搬には適するが、運搬した後、台車から遊技機を外して持ち上げ、取付位置に取付ける必要があるため、作業者の負担が大であった。また、上記両台車は、いずれもパチンコ遊技機専用に形成されているため、パチンコ遊技機と高さなどが異なるパチスロ遊技機には用いることができなかった。
【０００５】
これに対して、取付位置の高さに対応した載置面を有する移動リフト（例えば特許文献３）が提案されており、この移動リフトでは、取付位置の高さに合わせて遊技機を搬送できるため、載置面から取付位置への遊技機の移動作業を比較的容易に行うことができる。
【０００６】
しかし、上記移動リフトでは、単に台の上に遊技機を載置するだけであるから、作業者が運搬時に遊技機を押さえる必要があり、安定性に欠けるという問題がある。
【０００７】
また、取付位置の前には椅子が設けられ、この椅子は回転及び前後に所定範囲で移動可能な場合が多いが、前記移動リフトでは、その椅子が邪魔になって設置位置の手前に遊技機を運ぶことが難しく、作業が煩雑になることが予想される。
【先行技術文献】
【特許文献】
【０００８】
【特許文献１】特開２００４−５７２８０号公報
【特許文献２】特開２００９−１７８３７９号公報
【特許文献２】特開２００８−３６２５１号公報
【考案の開示】
【考案が解決しようとする課題】
【０００９】
そこで、本考案は、上記問題点を解決するものであり、遊技機を取付位置の高さに合った状態で安定して運搬することができ、取付作業が容易になる遊技機の取付用台車を提供することを目的とする。
【課題を解決するための手段】
【００１０】
請求項１の考案は、移動用車輪を設けたベース部と、前記ベース部の上に昇降可能に設けられ、前面側を後向きにした遊技機が載置可能な載置テーブルと、前記載置テーブルから上方に突設された支持部材と、前記支持部材に設けられ前記載置テーブルに載置された前記遊技機に当接する当接部と、を備えることを特徴とする。
【００１１】
請求項２の考案は、前記支持部材は、左右の縦杆と、これら左右の縦杆の上部間に設けた横杆とを備え、前記支持部材に前記遊技機の上部に当接する前記当接部を設け、前記支持部材が昇降可能に設けられていることを特徴とする。
【００１２】
請求項３の考案は、前記横杆に前記当接部を設け、前記支持部材の昇降により前記当接部が前記載置テーブル上の縦向きの前記遊技機より上方に昇降可能に設けられ、前記当接部を前記載置テーブル上の縦向きの前記遊技機より上方に昇降した状態で、前記載置テーブル上の縦向きの前記遊技機の左右と前記左右の縦杆との間に隙間が設けられると共に、前記当接部を設けた前記支持部材と前記載置テーブルとの間に前記載置テーブル上の縦向きの前記遊技機が挿通可能な挿通空間が形成されることを特徴とする。
【００１３】
請求項４の考案は、前記当接部は、前記載置テーブル上の縦向きの前記遊技機の上面に当接し前記横杆より前後幅の広い上部当接部と、前記遊技機の上部後面に当接する後部当接部とを備えることを特徴とする。
【００１４】
請求項５の考案は、前記載置テーブルの後側に、前側に凹んだ凹部を設け、前記凹部の左右幅が３５０ｍｍ以上であることを特徴とする。
【００１５】
請求項６の考案は、前記ベース部は、前後方向の左，右枠材と、これら左，右枠材を連結する横枠材とを備え、前記左，右枠材の下部に前記移動用車輪を設け、前記ベース部に、前後左右のテーブル用受け部を縦設し、これら前後左右のテーブル用受け部に対応して前記載置テーブルの前後左右に昇降杆を設けると共に、これら前後左右の昇降杆を前記前後左右のテーブル用受け部に上下方向スライド可能に設け、前記前後左右のテーブル用受け部に前記前後左右の昇降杆の高さ位置を固定及び固定解除可能な固定手段を備え、前記ベース部の左右に支持部材用受け部を縦設すると共に、前記左右の支持部材用受け部に、前記左右の縦杆の下部を上下方向スライド可能に設け、前記支持部材用受け部に、前記左右の縦杆の外面に当接して該左右の縦杆の高さ位置を固定及び解除可能な支持部材用螺子手段を螺合し、前記ベース部の後部には、前記凹部の下方で前記左，右枠材の間に後開口部を設けたことを特徴とする。
【００１６】
請求項７の考案は、前記テーブル用受け部は、横方向の受け部側雌螺子部と横方向の受け部側透孔を有し、前記昇降杆は、前記受け部側雌螺子部に対応して上下方向に間隔を置いて複数の横方向の杆側雌螺子部を有すると共に、前記受け部側透孔に対応して上下方向に間隔を置いて複数の横方向の杆側透孔を有し、前記受け部側雌螺子部及び前記杆側雌螺子部に螺合する支持部材側螺子手段と、前記受け部側雌螺子部と前記杆側雌螺子部とが位置合わせされた状態で連通する前記受け部側透孔及び前記杆側透孔に挿脱可能な支持杆と、を備えることを特徴とする。
【００１７】
請求項８の考案は、前記遊技機の取付位置の下部の前側には取付側テーブルが設けられており、前記載置テーブルの前側に回動テーブルの後側を枢着部により回動可能に連結すると共に、前記回動テーブルが前記取付側テーブルの上に載置可能に設けられていることを特徴とする。
【考案の効果】
【００１８】
請求項１の構成によれば、載置テーブルの高さを取付位置に合わせ、その載置テーブル上に遊技機を縦置きにして載置し、当接部を遊技機に当接することにより、取付位置まで安定して運搬することでき、遊技機の高さが取付位置に合っているから、取付作業を容易に行うことができる。
【００１９】
請求項２の構成によれば、遊技機の種類や大きさに合わせて支持部材を昇降し、当接部を遊技機の上部に当接することにより、遊技機を安定して運搬することができる。
【００２０】
請求項３の構成によれば、取付位置まで運搬した後、支持部材を上昇させ、遊技機を略そのままの姿勢で挿通空間に通し、取付位置に取り付けることができる。
【００２１】
請求項４の構成によれば、上部当接部により遊技機を上から押さえ付けるようにして支持部材により支持し、後部当接部により運搬中における遊技機の後側への倒れを防止できる。
【００２２】
請求項５の構成によれば、取付位置の前方に椅子などがある場合、凹部に椅子が来るように台車を回しながら、取付位置と椅子とに間に台車を運ぶことができる。
【００２３】
請求項６の構成によれば、前後左右のテーブル用受け部と前後左右の昇降杆により昇降可能な載置テーブルが安定し、また、支持部材用受け部により支持部材を昇降することができる。さらに、支持部材用螺子手段は、左右の縦杆の外面に当接して該左右の縦杆の高さ位置を固定及び解除可能するため、その固定及び解除作業が容易となる。また、ベース部の後部には、凹部に対応して後開口部が設けられているため、その後開口部に椅子の下部が来るようにして取付位置と椅子とに間に台車を動かすことができる。
【００２４】
請求項７の構成によれば、受け部側雌螺子部及び杆側雌螺子部に支持部材側螺子手段を螺合することにより、載置テーブルの高さを決め、この状態で、受け部側透孔及び前記杆側透孔に支持杆を挿入配置することにより、比較的重い遊技機を載置テーブルに安定して載置することができる。
【００２５】
請求項８の構成によれば、取付位置の前まで台車を運んだ後、回動テーブルを取付側テーブルに載置することにより、載置テーブルの上面と取付側テーブルとが回動テーブルにより連続し、遊技機の移し替えが容易となる。
【図面の簡単な説明】
【００２６】
【図１】本考案の実施例１を示す斜め後方からの全体斜視図である。
【図２】同上、一部を切り欠いた要部の斜視図である。
【図３】同上、側面図である。
【図４】同上、正面図である。
【図５】同上、載置テーブルの平面図である。
【図６】同上、下部側の平断面図である。
【考案を実施するための形態】
【００２７】
本考案における好適な実施の形態について、添付図面を参照しながら詳細に説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２８】
以下、本考案の実施例を添付図面を参照して説明する。図１〜図６は本考案の実施例１を示す。同図に示すように、遊技機の取付用台車１は、前後左右に移動用車輪たる自在キャスタ２，２，２，２を設けたベース部３と、このベース部３の上に昇降機構４により昇降可能に設けられた載置テーブル５と、この載置テーブル５から上方に突設された金属などの硬質材料から形成された支持部材６と、この支持部材６に設けられ遊技機１０１に当接する当接部７とを備える。尚、遊技機１０１はパチンコ遊技機やパチスロ遊技機などが例示される。
【００２９】
前記ベース部３は、左右に間隔を置いて平行に設けられた前後方向の左，右枠材１１Ｌ，１１Ｒと、これら左，右枠材１１Ｌ，１１Ｒの前側を連結する左右方向の横枠材１２とを一体に備える。そして、前記左，右枠材１１Ｌ，１１Ｒの下部の前後に前記自在キャスタ２，２，２，２が設けられている。この自在キャスタ２は、縦方向の軸部２Ａを中心に水平回動可能に設けられ、また、車輪２Ｂを回り止め状態で固定するストッパ２Ｃを有する。尚、図４に示すように、左，右枠材１１Ｌ，１１Ｒの間隔は、遊技機１０１の左右寸法より大きい。また、図６では自在キャスタ２を図示省略している。
【００３０】
次に、前記昇降機構４について説明する。昇降機構４は、前記ベース部３の左，右枠材１１Ｌ，１１Ｒ上の前側に、前後に間隔を置いて、テーブル用受け部たるテーブル用受け筒部１３，１３，１３，１３を立設している。これらテーブル用受け筒部１３，１３，１３，１３は角型をなし、前後のテーブル用受け筒部１３，１３が板状の連結材１４により連結されている。また、昇降機構４は、前記載置テーブル５の前後左右に、縦方向の昇降杆１５，１５，１５，１５を設け、これら前後左右の昇降杆１５，１５，１５，１５は前記載置テーブル５の下面に固定されている。また、前側の左右のテーブル用受け筒部１３，１３を左右方向の上横枠材１２Ａにより連結し、この上横枠材１２Ａは前記横枠材１２の上方に位置する。
【００３１】
前後左右の昇降杆１５，１５，１５，１５は、外板部１６と前，後板部１７，１７を有する断面コ字形をなす。また、前記前後左右のテーブル用受け筒部１３，１３，１３，１３は角型をなし、外板部１８と前，後板部１９，１９と内板部とを有する。尚、前記外板部１８は台車１の左右方向外側に位置する。
【００３２】
前記昇降杆１５の前記外板部１６には、上下に間隔を置いて、杆側雌螺子部たる複数の雌螺子部１６Ｍ，１６Ｍ，１６Ｍ・・・を穿設し、これら雌螺子部１６Ｍ，１６Ｍ，１６Ｍ・・・に対応して、前記テーブル用受け筒部１３の外板部１８に、受け部側雌螺子部１８Ｍを設けている。この例では、前記テーブル用受け筒部１３の前記外板部１８に透孔（図示せず）を穿設し、この透孔位置で前記外板部１８にナット２０を固定し、このナット２０の雌螺子部により前記雌螺子部１８Ｍを構成している。
【００３３】
また、前記昇降杆１５の前記前，後板部１７，１７には、上下に間隔を置いて、複数の杆側透孔たる透孔１７Ｔ，１７Ｔ，１７Ｔが穿設されている。また、それら透孔１７Ｔ，１７Ｔ，１７Ｔに対応して、前記テーブル用受け筒部１３の前，後板部１９，１９には、受け部側透孔たる透孔１９Ｔ，１９Ｔがそれぞれ穿設されている。尚、載置テーブル５の後側縁３１と左，右枠材１１Ｌ，１１Ｒの後縁とは、台車１の前後方向において、略同一位置にある。
【００３４】
そして、ベース部３に対して載置テーブル５の高さを調整し、テーブル用受け筒部１３の雌螺子部１８Ｍに蝶螺子２１を螺合し、この蝶螺子２１を昇降杆１５のいずれかの雌螺子部１６Ｍに螺合することにより、テーブル用受け筒部１３の前，後板部１９，１９の透孔１９Ｔ，１９Ｔと、昇降杆１５の前，後板部１７，１７の透孔１７Ｔ，１７Ｔとが位置合わせされ、それら透孔１９Ｔ，１７Ｔ，１７Ｔ，１９Ｔに、支持杆２２を挿入することにより、載置テーブル５の高さ位置が固定されると共に、支持杆２２により載置テーブル５における積載可能荷重を大にすることができ、載置テーブル５の上に載置した遊技機１０１を安定して支持することができる。尚、前記支持杆２２は、透孔１７Ｔ，１９Ｔに挿通する本体部２２Ａと、この本体部２２Ａと交差方向に設けた操作部２２Ｂとを一体に有し、この操作部２２Ｂは、作業者が握って操作する握り部である。
【００３５】
この場合、蝶螺子２１によりテーブル用受け筒部１３と昇降杆１５との高さが位置合わせされているため、支持杆２２を透孔１９Ｔ，１７Ｔ，１７Ｔ，１９Ｔに容易に挿入することができ、また、載置テーブル５から遊技機１０１を降ろした状態では、支持杆２２を容易に抜くことができる。
【００３６】
そして、前記蝶螺子２１及び支持杆２２などにより、前記昇降杆１５のテーブル用受け筒部１３に対する高さ位置を固定及び固定解除可能な固定手段２３を構成している。
【００３７】
前記載置テーブル５の後側縁３１には、前側に凹んだ凹部３２が設けられ、この凹部３２は左右の内縁３２Ａ，３２Ａの間隔Ｈが３５０ｍｍ以上、好ましくは４００ｍｍ以上であり、後側縁３１から凹部３２の前側縁３２Ｂまでの間隔ｈが１５０ｍｍ以上である。尚、前記左右の内縁３２Ａ，３２Ａと前側縁３２Ｂとの間には湾曲状の角部３３，３３が設けられている。
【００３８】
前記凹部３２の下方において、前記ベース部３には、後側が開口した後開口部３５が設けられ、この後開口部３５は前記左，右枠材１１Ｌ，１１Ｒと前記横枠材１２とリブ板３６，３６の間に形成されている。前記左，右枠材１１Ｌ，１１Ｒの内縁の間隔Ｈ１は、３５０ｍｍ以上、好ましくは４００ｍｍ以上で、前記左，右枠材１１Ｌ，１１Ｒの後端と前記横枠材１２の後縁との間隔ｈ１は、１５０ｍｍ以上である。また、前記左，右枠材１１Ｌ，１１Ｒの内縁前側と前記横枠材１２の後縁左右との間に、平面において略斜めの前記リブ板３６，３６が設けられ、このリブ板３６の外縁部３６Ｆは湾曲状に形成されている。尚、前記上横枠材１２Ａの後側は、後開口部３５の前側に位置する前記横枠材１２及び凹部３２の前側縁３２Ｂより、前側に位置する。
【００３９】
前記支持部材６は、左右の縦杆４１，４１と、これら左右の縦杆４１，４１の上端を連結する横方向の横杆４２とを一体に備え、縦杆４１，４１及び横杆４２は角パイプなどからなる。それら左右の縦杆４１，４１に対して、前記前後のテーブル用受け筒部１３，１３の間の位置で前記連結材１４の外面側には、支持部材用受け部たる支持部材用受け筒部４３，４３が左右にそれぞれ縦設されている。これら左右の支持部材用受け筒部４３，４３は、角型をなし、前記左右の縦杆４１，４１の下部がそれぞれ上下方向スライド可能に挿入される。また、前記支持部材用受け筒部４３，４３の前板部４４に透孔（図示せず）を穿設し、この透孔に連通する位置で前記前板部４４にナット４５を固定している。
【００４０】
そして、支持部材６の高さを調整し、その調整した位置で、前記ナット４５に螺合した蝶螺子４６を捩じ込んで締め、蝶螺子４６の先端を前記縦杆４１の外面に圧接することにより、支持部材６の高さ位置が固定され、逆に蝶螺子４６を緩めると、縦杆４１を上下にスライドさせることができる。尚、蝶螺子４６が支持部材用螺子手段である。
【００４１】
前記支持部材６の横杆４２には、前記遊技機１０１の上部に当接する前記当接部７が設けられている。この当接部７は、金属板を屈曲形成してなり、前記遊技機１０１の上面に当接する上部当接部たる上板部５２と、この上板部５２の前縁から下方に垂設された後部当接部たる前板部５３とを備え、略Ｌ字状をなす。また、前記上板部５２の前後は、前記横杆４２の前後からそれぞれ前後に張り出し、その上板部５２の前後方向の幅は、横杆４２の前後方向の幅より大きい。また、当接部７の左右幅は、横杆３２の下面の左右はあの０．２５倍以上から０．５倍以下程度の寸法をなす。そして、支持部材６を昇降することにより、遊技機１０１より上方に当接部７を位置させると、支持部材６と載置テーブル５との間に、台車１の左右に、その左右を合わせ縦置きした遊技機１０１が挿通可能な挿通空間４７が形成される。
【００４２】
取付位置である島１１１の前側下部には、取付側テーブル１１２が設けられている。一方、前記載置テーブル５の前縁には、枢着部たるヒンジ部６１により回動テーブル６２が回動可能に連結され、この回動テーブル６２は前記取付側テーブル１１２の上に載置可能である。また、回動テーブル６２の前縁６３は左右方向で直線状に形成され、前記前縁６３の左右に凸状の湾曲縁６４，６４が設けられている。尚、回動テーブル６２は、水平位置で前記載置テーブル５の上面と略面一となり、その水平位置から上下に回動可能である。
【００４３】
次に、前記取付用台車１の使用方法について説明する。遊技機１０１を載置する前に、載置テーブル５を島１１１の高さに合わせ、載置テーブル５を固定手段２３により固定する。その載置テーブル５の上に遊技機１０１を縦置きし、遊技機１０１の前面１０４側を台車１の後側向きにし、遊技機１０１の後面１０２を前記当接部７の前板部５３の位置に略合わせ、支持部材６を下げて、上板部５２を遊技機１０１の上面１０３に当接すると共に、前板部５３を遊技機１０１の後面１０２の上部に当接又は近接させる。この状態で、支持部材用螺子手段である蝶螺子４６を締め、蝶螺子４６の先端を縦杆４１の外面に圧接させて支持部材６の高さ位置を固定する。こうすれば、一人の作業者が遊技機１０１を押さえながら、台車１を移動させることができる。
【００４４】
この後、取付用台車１を移動させ、島１１１の前まで運搬する。島１１１の前に椅子１１３がある場合は、椅子１１３の左右一側の一部を凹部３２及び後開口部３５内に位置させ、椅子１１３の位置を中心に取付用台車１を回すように移動して島１１１の取付側テーブル１１２と椅子１１３の間に台車１を移動させる。
【００４５】
また、島１１１の前に移動する前に、図４に示すように、回動テーブル６２を上方に回転しておき、島１１１の前で、取付側テーブル１１２の上に回動テーブル６２を載置する。こうすると、回動テーブル６２により載置テーブル５と取付側テーブル１１２とが連続する。支持部材６を上に上げた後、遊技機１０１を台車１の前方に押し、テーブル５，６２，１１２に沿って挿通空間４７を通過させ、島１１１に取り付けることができる。また、島１１１に取り付ける際に持ち上げる必要がある場合でも、遊技機１０１を僅かに持ち上げるだけで済む。
【００４６】
このように本実施例では、請求項１に対応して、移動用車輪たる自在キャスタ２を設けたベース部３と、ベース部３の上に昇降可能に設けられ、前面１０４側を台車１の後向きにした遊技機１０１が載置可能な載置テーブル５と、載置テーブル５から上方に突設された支持部材６と、支持部材６に設けられ載置テーブル５に載置された遊技機１０１に当接する当接部７と、を備えるから、載置テーブル５の高さを取付位置たる島１１１に合わせ、その載置テーブル５上に遊技機１０１を縦置きにして載置し、当接部７を遊技機１０１に当接することにより、島１１１まで安定して運搬することでき、遊技機１０１の高さが島１１１に合っているから、取付作業を容易に行うことができる。
【００４７】
このように本実施例では、請求項２に対応して、支持部材６は、左右の縦杆４１，４１と、これら左右の縦杆４１，４１の上部間に設けた横杆４２とを備え、支持部材６に遊技機１０１の上部に当接する上部当接部たる上板部５２を設け、支持部材６が昇降可能に設けられているから、遊技機１０１の種類や大きさに合わせて支持部材６を昇降し、上板部５２を遊技機１０１の上部に当接することにより、遊技機１０１を安定して運搬することができる。尚、一般的に、パチンコ遊技機とパチスロ遊技機では高さが異なる。
【００４８】
このように本実施例では、請求項３に対応して、横杆４２に当接部たる上板部５２を設け、支持部材６の昇降により上板部５２が載置テーブル５上の縦向きの遊技機１０１より上方に昇降可能に設けられ、上板部５２を載置テーブル５上の縦向きの遊技機１０１より上方に昇降した状態で、載置テーブル５上の縦向きの遊技機１０１の左右と左右の縦杆４１，４１との間に隙間が設けられると共に、上板部５２を設けた支持部材６と載置テーブル５との間に載置テーブル５上の縦向きの１０１遊技機が挿通可能な挿通空間４７が形成されるから、取付位置たる島１１１まで運搬した後、支持部材６を上昇させ、遊技機１０１を略そのままの姿勢で挿通空間４７に通し、島１１１に取り付けることができる。
【００４９】
このように本実施例では、請求項４に対応して、当接部７は、載置テーブル５上の縦向きの遊技機１０１の上面１０３に当接し横杆４２より前後幅の広い上部当接部たる上板部５２と、遊技機１０１の上部の後面１０２に当接する後部当接部たる前板部５３とを備えるから、上板部５２により遊技機１０１を上から押さえ付けるようにして支持部材６により支持し、前板部５３により運搬中における遊技機１０１の後側への倒れを防止できる。
【００５０】
このように本実施例では、請求項５に対応して、載置テーブル５の後側に、前側に凹んだ凹部３２を設け、凹部３２の左右幅が３５０ｍｍ以上であるから、取付位置たる島１１１の前方に椅子１１３などがある場合、凹部３２に椅子１１３が来るように台車１を回しながら、島１１１と椅子１１３とに間に台車１を運ぶことができる。
【００５１】
このように本実施例では、請求項６に対応して、ベース部３は、前後方向の左，右枠材１１Ｌ，１１Ｒと、これら左，右枠材１１Ｌ，１１Ｒを連結する横枠材１２とを備え、前記左，右枠材１１Ｌ，１１Ｒの下部に前記移動用車輪たる自在キャスタ２を設け、ベース部３に、前後左右のテーブル用受け部たるテーブル用受け筒部１３，１３，１３，１３を縦設し、これら前後左右のテーブル用受け筒部１３，１３，１３，１３に対応して載置テーブル５の前後左右に昇降杆１５，１５，１５，１５を設けると共に、これら前後左右の昇降杆１５，１５，１５，１５を前後左右のテーブル用受け筒部１３，１３，１３，１３に上下方向スライド可能に設け、前後左右のテーブル用受け筒部１３，１３，１３，１３に前記前後左右の昇降杆１５，１５，１５，１５の高さ位置を固定及び固定解除可能な固定手段２３を備え、ベース部３の左右に支持部材用受け部たる支持部材用受け筒部４３を縦設すると共に、左右の支持部材用受け筒部４３に、左右の縦杆４１，４１の下部を上下方向スライド可能に設け、支持部材用受け筒部４３，４３に、左右の縦杆４１，４１の外面に当接して該左右の縦杆４１，４１の高さ位置を固定及び解除可能な支持部材用螺子手段たる蝶螺子４６を螺合し、ベース部３の後部には、凹部３２の下方で左，右枠材１１Ｌ，１１Ｒの間に後開口部３５を設けたから、前後左右のテーブル用受け筒部１３，１３，１３，１３と昇降杆１５，１５，１５，１５により昇降可能な載置テーブル５が安定し、また、受け筒部１３，１３，１３，１３により支持部材６を昇降することができる。さらに、支持部材用螺子手段たる蝶螺子４６は、左右の縦杆４１，４１の外面に当接して該左右の縦杆４１，４１の高さ位置を固定及び解除可能するため、その固定及び解除作業が容易となる。また、ベース部３の後部には、凹部３２に対応して後開口部３５が設けられているため、その後開口部３５に椅子１１３の下部が来るようにして取付位置たる島１１１と椅子１１３とに間に台車１を動かすことができる。
【００５２】
このように本実施例では、請求項７に対応して、テーブル用受け部たるテーブル用受け筒部１３は、横方向の受け部側雌螺子部１８Ｍと横方向の受け部側透孔１９Ｔを有し、昇降杆１５は、受け部側雌螺子部１８Ｍに対応して上下方向に間隔を置いて複数の横方向の杆側雌螺子部１６Ｍを有すると共に、受け部側透孔１９Ｔに対応して上下方向に間隔を置いて複数の横方向の杆側透孔１７Ｔを有し、受け部側雌螺子部１８Ｍ及び杆側雌螺子部１６Ｍに螺合する支持部材側螺子手段たる蝶螺子４６と、受け部側雌螺子部１８Ｍと杆側雌螺子部１６Ｍとが位置合わせされた状態で連通する受け部側透孔１９Ｔ及び杆側透孔１７Ｔに挿脱可能な支持杆２２と、を備えるから、受け部側雌螺子部１８Ｍ及び杆側雌螺子部１６Ｍに蝶螺子４６を螺合することにより、載置テーブル５の高さを決め、この状態で、受け部側透孔１９Ｔ及び前記杆側透孔１７Ｔに支持杆２２を挿入配置することにより、比較的重い遊技機１０１を載置テーブル５に安定して載置することができる。
【００５３】
このように本実施例では、請求項８に対応して、遊技機１０１の取付位置たる島１１１の下部の前側には取付側テーブル１１２が設けられており、載置テーブル５の前側に回動テーブル６２の後側を枢着部たるヒンジ部６１により回動可能に連結すると共に、回動テーブル６２が取付側テーブル１１２の上に載置可能に設けられているから、島１１１の前まで台車１を運んだ後、回動テーブル６２を取付側テーブル１１２に載置することにより、載置テーブル５の上面と取付側テーブル１１２とが回動テーブル６２により連続し、遊技機１０１の移し替えが容易となる。
【００５４】
尚、本考案は、本実施例に限定されるものではなく、本考案の要旨の範囲内で種々の変形実施が可能である。例えば、実施例では、当接部に上板部を設けたが、横杆の下面により遊技機に当接する当接部を構成してもよい。また、実施例ではテーブル用受け部に、昇降杆を挿入したが、昇降杆にテーブル用受け部を挿入するように構成してもよい。
【符号の説明】
【００５５】
１  取付用台車
２  自在キャスタ（移動用車輪）
５  載置テーブル
６  支持部材
７  当接部
１３  テーブル用受け筒部（テーブル用受け部）
１５  昇降杆
１６Ｍ  雌螺子部（杆側雌螺子部）
１７Ｔ  透孔（杆側透孔）
１８  外板部
１８Ｍ  雌螺子部（受け部側雌螺子部）
１９Ｔ  透孔（受け部側透孔）
２１  蝶螺子（テーブル用螺子手段）
２２  支持杆
２３  固定手段
３１  後側縁
３２  凹部
３５  後開口部
４１  縦杆
４２  横杆
４３  支持部材用受け筒部（支持部材用受け部）
４６  蝶螺子（支持部材用螺子手段）
４７  挿通空間
５２  上板部（上部当接部）
５３  前板部（後部当接部）
６１  ヒンジ部（枢着部）
６２  回動テーブル
１０１  遊技機
１０２  後面
１０３  上面
１１１  島（取付位置）
１１２  取付側テーブル
Ｈ  間隔
【図１】
0003211901.tif 000003
【図２】
0003211901.tif 000004
【図３】
0003211901.tif 000005
【図４】
0003211901.tif 000006
【図５】
0003211901.tif 000007
【図６】
0003211901.tif 000008